(57)【要約】【課題】  電源回路の出力に過電圧の発生がなく、インバータを構成するスイッチング素子に過電圧や過電流を与えず、製品の信頼性を高めた誘導加熱調理器を提供する。【解決手段】  被加熱物を含む共振負荷回路と、商用電源に接続され直流可変電源に変換する昇圧電源手段を有する電源回路と、この電源回路が生成する直流電圧を交流電圧に変換して前記共振負荷回路に電力を供給するインバータと、前記電源回路と前記インバータを制御する制御手段とを備えた誘導加熱調理器において、加熱開始時は前記インバータを駆動させた所定時間後に前記電源回路の昇圧電源手段の動作を開始させ、加熱停止時は前記電源回路の昇圧電源手段の動作を停止させた所定時間後に前記インバータを駆動停止させるように前記制御手段にて制御する。【選択図】図１
2008166107.tif 000002
【特許請求の範囲】
【請求項１】
共振負荷回路と、商用電源に接続され直流可変電源に変換する昇圧電源手段を有する電源回路と、この電源回路が生成する直流電圧を交流電圧に変換して前記共振負荷回路に電力を供給するインバータと、前記電源回路と前記インバータを制御する制御手段とを備えた誘導加熱調理器において、
加熱開始時は前記インバータを駆動させた所定時間後に前記電源回路の昇圧電源手段の動作を開始させ、
加熱停止時は前記電源回路の昇圧電源手段の動作を停止させた所定時間後に前記インバータを駆動停止させるように前記制御手段にて制御することを特徴とする誘導加熱調理器。
【請求項２】
前記電源回路の入力電流と、前記共振負荷回路の電流とを検知して被加熱物の加熱可否を判定する加熱可否判定手段を備え、この加熱可否判定手段は、加熱開始時の前記電源回路の昇圧電源手段の動作開始以前に加熱可否を判定することを特徴とする請求項１記載の誘導加熱調理器。
【発明の詳細な説明】
【技術分野】
【０００１】
本発明は、誘導加熱調理器に関するものである。
【背景技術】
【０００２】
誘導加熱調理器は、高周波電流を流す加熱コイルの近傍に配した被加熱物である鍋等に渦電流を発生させ、そのジュール熱によって鍋自体が自己発熱することで、効率よく鍋を加熱することができるものであり、近年、ガスコンロや電熱ヒータによる加熱調理器具に対して、安全性や温度制御性に優れた点によって、これらの置換えが進んでいる。
【０００３】
誘導加熱調理器は、加熱コイルに高周波電流を流す電力制御回路として、被加熱物の鍋（負荷）を含めた加熱コイルのインダクタンスと、共振コンデンサの共振負荷回路を接続し、スイッチング素子で２０〜４０ｋＨｚ程度の駆動周波数でオンオフ制御するいわゆる共振型インバータが一般的である。
【０００４】
共振型インバータは、電圧共振型と電流共振型があり、前者は１００Ｖ電源用、後者は２００Ｖ電源用として適用されることが多い。
【０００５】
当初は、鉄などの磁性材料の負荷のみが加熱できるだけであったが、近年は、非磁性ステンレスなどの負荷も加熱できるようになってきており、さらに、加熱できないとされてきたアルミニウム製の負荷も加熱できるようにしたものが提案されている。
【０００６】
すなわち、被加熱金属体の負荷を含む共振負荷回路と、直流電圧を生成する電源回路と、この電源回路の昇圧電源手段と降圧電源手段が生成する直流電圧を高周波電圧に変換して前記共振負荷回路に電力を供給するインバータとを備え、このインバータは直列に接続される少なくとも二個のスイッチング素子で構成される上下アームを有してなり、前記電源回路は二つ以上の異なる直流電圧を生成し、被加熱金属体の負荷の材質に応じて前記電源回路の出力電圧を切り替える構成とすることにより、異なる材質の負荷に対し、所望の電力を効率よく供給することができる誘導加熱調理器の提案がなされている（例えば、特許文献１参照）。
【０００７】
【特許文献１】特開２００４−３１９２９６号公報
【発明の開示】
【発明が解決しようとする課題】
【０００８】
しかしながら、上記の従来技術において、電源回路の昇圧電源手段の起動時および停止時は、負荷の軽重によって出力電圧の変動や電源電流の変動が発生しやすく、昇圧電源手段の起動時は安定動作出力状態になるまで電源電流が変動する。また、停止時は、出力電圧が上昇する。
【０００９】
したがって、加熱停止時のインバータ停止時は、電源回路に対する負荷インピーダンスは急激に大きくなり電源回路の出力電流が減少するため、電源回路の出力電圧が急上昇して、スイッチング素子に過電圧が印加することによりスイッチング素子の信頼性が損なわれるという問題点がある。
【課題を解決するための手段】
【００１０】
本発明は、上記の問題を解決するためになされたものであり、被加熱物を含む共振負荷回路と、商用電源に接続され直流可変電源に変換する昇圧電源手段を有する電源回路と、この電源回路が生成する直流電圧を交流電圧に変換して前記共振負荷回路に電力を供給するインバータと、前記電源回路と前記インバータを制御する制御手段とを備えた誘導加熱調理器において、加熱開始時は前記インバータを駆動させた所定時間後に前記電源回路の昇圧電源手段の動作を開始させ、加熱停止時は前記電源回路の昇圧電源手段の動作を停止させた所定時間後に前記インバータを駆動停止させるように前記制御手段にて制御するものである。
【００１１】
また、前記電源回路の入力電流と、前記共振負荷回路の電流とを検知して被加熱物の加熱可否を判定する加熱可否判定手段を備え、この加熱可否判定手段は、加熱開始時の前記電源回路の昇圧電源手段の動作開始以前に加熱可否を判定するものである。
【発明の効果】
【００１２】
本発明の誘導加熱調理器は、上記のように構成したことにより、電源回路の出力に過電圧の発生が無く、したがって、インバータを構成する素子に与える過電圧や過電流のストレスを微小にすることができ、故障の発生頻度が激減し、製品の信頼性を高めることができる。
【００１３】
また、加熱開始時に行う被加熱物の加熱可否の判定を安定した電源状態で行うことができるため、誤判定を防止することができる。
【発明を実施するための最良の形態】
【００１４】
以下、本発明の一実施例を図１〜図１０を参照して説明する。
【００１５】
図１は、本発明の誘導加熱調理器の回路ブロック図である。商用電源１に接続され、整流手段２で直流に変換した後に、昇圧電源手段３および降圧電源手段４を接続して、その出力直流電圧を可変することが出来る電源回路９の出力端子に、加熱コイル６に高周波電流を流すためのインバータ５が接続されている。
【００１６】
制御手段７は、昇圧電源手段３の起動や停止制御、降圧電源手段４の出力電圧の設定、インバータ５の図示しないスイッチング素子の駆動条件（スイッチング周波数やデューティー）の設定等を行う。使用者が行う操作手段８の操作によって、高周波電流を流す加熱コイル６の近傍に配した被加熱物である金属鍋等負荷の加熱電力や負荷の温度を検知する図示しない温度センサ−により行う負荷の温度制御などの条件設定を行う。
【００１７】
また、制御手段７は、電源回路９の入力電流を検知する入力電流検知素子１０と、加熱コイル６の共振負荷回路に流れる電流を検知するインバータ電流検知素子１１とで検知した電流値から、インバータ５の負荷の状態が高インピーダンスか低インピーダンスかを判別したり、インバータ５の負荷の共振周波数の高低状態を判別して、被加熱物の加熱可否を判定する加熱可否判定手段１２の判定出力を入力している。この加熱可否判定手段１２の判定結果により、負荷（金属鍋）の材質や形状などを推定し、負荷が加熱に適していなければ加熱しないようにインバータ５のスイッチング素子の駆動を制御手段７により制御する。
【００１８】
図２は、昇圧電源手段３の回路構成を説明する図である。整流手段２の正側の出力端子に、チョークコイル３１の一端を接続し、チョークコイル３１の他端の出力端側にスイッチング素子３２を接続して整流手段２の負側の出力端子（基準電位）に接続して閉ループを構成する。チョークコイル３１の出力端にはダイオード３３を接続し、平滑用のコンデンサ３４を接続する。３５は昇圧電源手段３の負荷を表す。
【００１９】
昇圧電源手段３は、スイッチング素子３２のオン期間に整流手段２の直流電圧がチョークコイル３１に印加されてエネルギーが蓄積され、スイッチング素子３２のオフ期間にダイオード３３を介してコンデンサ３４にエネルギーが放出され、その電圧が昇圧電源手段３の負荷３５に印加される。
【００２０】
このような回路構成により、スイッチング素子３２のオンオフデューティを変化させることによって、整流手段２からの入力電圧よりも高い任意の電圧に昇圧して昇圧電源手段３の負荷回路３５に出力することが出来る。
【００２１】
また、スイッチング素子３２のオンオフデューティを制御手段７により制御すること、および平滑用のコンデンサ３４の容量を十分に大きくすることにより、十分に平滑化された直流電圧を出力することができる。
【００２２】
図３は、昇圧電源手段３の制御タイミングを説明する図である。スイッチング素子３２がオンしている時は、チョークコイル３１には整流手段２の電圧が印加されて電流ＩL が流れ、チョークコイル３１にエネルギーが蓄積される。
【００２３】
次に、スイッチング素子３２がオフすると、チョークコイル３１に蓄積されたエネルギーが電圧に変換され、入力電圧Ｖinよりも高い電圧が発生し、その電圧によってダイオード３３を経由してコンデンサ３４に充電される。このとき、昇圧電源手段３の負荷回路
３５に出力する電圧ＶO1は入力電圧Ｖinよりも高い電圧となる。
【００２４】
昇圧電源手段３は、入力電圧Ｖin波形と入力電流ＩLの包絡線波形が位相を含めて相似波形になるようにスイッチング素子３２のオンオフタイミングを制御手段７により制御することにより、誘導加熱調理器の力率を高い状態にすることができる。
【００２５】
図４は、降圧電源手段４の回路構成を説明する図である。昇圧電源手段３の出力端子にスイッチング素子４１を接続し、そのスイッチング素子４１の出力側にチョークコイル
４２接続し、また、降圧電源手段４の出力と逆並列になるようにダイオード４３を接続する。チョークコイル４２の出力側にはコンデンサ４４を接続する。４５は降圧電源手段４の負荷を表す。
【００２６】
この構成において、スイッチング素子４１のオンオフデューティを変化させることにより、出力電圧ＶOUT を０〜１００％に変化させることができる。ただし、降圧電源手段４の負荷４５のインピーダンスによってはスイッチング素子４１のオンオフデューティが同じであっても出力電圧ＶOUT は変化する。
【００２７】
図５は、降圧電源手段４の制御タイミングを説明する図である。スイッチング素子４１のオンオフタイミングと、チョークコイル４２に流れる電流ＩL2，出力電圧ＶOUT 、入力電圧である昇圧電源手段３の出力端子の電圧ＶO1の関係を示している。
【００２８】
スイッチング素子４１がオンしている時は、降圧電源手段４に印加される電圧ＶO1がチョークコイル４２を介してコンデンサ４４に充電される。このときチョークコイル４２には電圧ＶO1が印加されて電流が流れ、チョークコイル４２にエネルギーが蓄積される。
【００２９】
次に、スイッチング素子４１がオフすると、チョークコイル４２に蓄積されたエネルギーが電圧に変換され、ダイオード４３を含む閉回路を経由して降圧電源手段４の負荷４５に供給される。チョークコイル４２のエネルギーが無くなると、出力端子のコンデンサ
４４の充電エネルギーから供給される。負荷４５に供給されるエネルギーは、スイッチング素子４１のオンオフデューティで決定され、それにより出力電圧ＶOUT が決定する。
【００３０】
図６は、インバータ５の回路構成を説明する図である。回路は一般的なシングルエンドプシュプル回路構成である。電源回路９の出力にスイッチング素子５１，５２の直列体の上下アームを接続し、その中点に加熱コイル６と、図示しない被加熱物と、共振コンデンサ５５とで構成される共振負荷回路を接続する。スイッチング素子５１，５２の直列体にはそれぞれ逆並列にダンパダイオード５３，５４を接続し、さらにスナバコンデンサ５６，５７を接続してスイッチング素子５１，５２の過電圧や損失の発生を抑制する。
【００３１】
被加熱物を含む共振負荷回路にはスイッチング素子５１，５２を排他的にオンオフすることにより高周波電流が流れ、加熱コイル６に流れる電流により加熱コイル６の近傍に置かれた負荷（鍋等）に渦電流を発生させ、負荷自体を発熱させる。このような回路構成にすることによって、加熱コイル６に流れる電流により負荷（鍋等）に投入される電力は、降圧電源手段４の出力設定電圧およびインバータ５のスイッチング周波数で制御することができる。
【００３２】
なお、本実施例では、昇圧電源手段３の動作により十分に平滑された直流電圧をインバータ５に入力することができるので、インバータ５のスイッチング素子５１，５２を排他的にオンオフすることにより流れる加熱コイル６の高周波電流の包絡線は平らになる。これは昇圧電源手段３が無い場合の、十分に平滑されてない直流電源の場合は、加熱コイル６に流れる高周波電流の包絡線が商用電源の周波数の２倍で変動するため、負荷（鍋等）自体に振動が発生して、商用周波数に起因した異音が発生することがある。したがって、昇圧電源手段３を用いることによって、商用周波数に起因した負荷（鍋等）自体の振動による異音の発生を抑制することができる。
【００３３】
一般的に、昇圧電源手段３の出力が平滑化した電圧となるためには、昇圧電源手段３の出力に接続するコンデンサ３４の容量は十分に大きくなければならない。このため、加熱開始時に昇圧電源手段３の力率補正動作が急激に行われるとスイッチング素子３２に過電流が流れたり、電源電流が過大になったりする恐れがある。したがって、加熱開始時は昇圧電源手段３の動作は徐々に効果が現れるようにソフトスタート動作にする必要がある。ただし、ソフトスタート動作中の出力電圧や電源電流は過渡的な変動を含むために、安定状態ではない。また、同様に加熱停止時にもソフトストップ動作が必要になる。
【００３４】
さらには、昇圧電源手段３の出力電圧は負荷電流の変化によって急激に変化する。具体的には、昇圧動作中に負荷電流をゼロにすると、出力電圧が急上昇して平滑用コンデンサ３４に過電圧が印加されたり、出力に接続されている降圧電源手段４のスイッチング素子４１に過電圧が印加されるため故障の原因となる。
【００３５】
昇圧電源手段３における出力電圧ＶO1の昇圧動作は、図３に示すとおり、スイッチング素子３２がオフになった後である。したがって、スイッチング素子３２がオン中に負荷電流が減少すると、その時点で昇圧動作を停止する操作を行っても（スイッチング素子３２をオフしても）出力電圧ＶO1に過電圧が発生する。
【００３６】
従来の昇圧機能を有しない電源回路を用いた誘導加熱調理器のインバータにおいては、商用電源を整流手段で直流電圧に変換し、その出力をインバータに接続する構成をとっており、加熱を停止する場合は、インバータの駆動信号を即時停止するようにしている。この構成においては、インバータの負荷電流が急激に減少しても、電源電流の流れる電源回路の経路に大きなインダクタンスが存在しないために、過渡的な高電圧が発生する恐れは無い。したがって、過渡的な高電圧から回路素子を保護するための過電圧防止素子やインバータの駆動タイミングについて特段の対応を必要としない。
【００３７】
しかしながら、昇圧電源手段３を有する電源回路９の回路構成においては、上述の通り急激な負荷の変動、特に負荷電流の減少は過電圧の発生につながるため避けなければならない。そこで、加熱を停止する場合、インバータ５の出力電力の設定を徐々に減少させてインバータ５の負荷電流が急激に減少しないようにする方法にすれば良いが、この方法では所定の時間が必要となり、本来加熱を停止しなければならないタイミングからしばらくの間、通電を継続する形になるので、不要な電力の消費、負荷温度の上昇による調理物の失敗、などが発生する。
【００３８】
また、制御手段７で行うインバータ５の制御をマイクロコンピュータのソフトウェアで行う場合は加熱の終了処理が複雑になるという問題点が生じる。
【００３９】
このため、本実施例では、使用者の設定により、あるいは、所定の自動加熱動作の終了に伴い負荷の加熱を停止する場合には、電源回路９の昇圧電源手段３の動作を先に停止し、所定の時間（短時間）が経過した後にインバータ５の動作を停止させる。このような動作をすることで、インバータ５が停止したときに発生する負荷電流の急激な低下は、すでに昇圧電源手段３の動作が停止しているために過電圧の発生は生じない。また、インバータ５が停止するまでに短時間しか要しないために、不要な電力の消費を最小限に抑えることができるとともに、負荷の温度上昇も無視できる加熱量にすることができるので、調理物の失敗にはつながらない。
【００４０】
図７、図８は、加熱終了時のインバータ５，昇圧電源手段３，降圧電源手段４の動作タイミングと、昇圧電源手段３の出力電圧ＶO1との関係を説明する図であり、図７は、昇圧電源手段３と降圧電源手段４を有しない電源回路を用いた従来の動作タイミングに準拠した場合の加熱終了時の動作波形を説明する図である。図８は、本発明の実施例の加熱終了時のインバータ５，昇圧電源手段３，降圧電源手段４の動作タイミングと、昇圧電源手段３の出力電圧ＶO1との関係を説明する図である。
【００４１】
図７では、加熱終了時に、電源回路９の昇圧電源手段３の動作と、降圧電源手段４の動作と、インバータ５の動作を同時に停止すると、昇圧電源手段３の出力電圧は、通電停止前の安定電圧Ｖ1 から停止直後に高電圧ＶP が発生し、その後、降圧電源手段４やインバータ５の回路部分による漏れ電流等で出力電圧ＶO1は徐々に低下し、停止電圧Ｖ3 に近づいていく。このとき、高電圧ＶP が降圧電源手段４やインバータ５で使われている素子の耐圧を超えた状態になると素子がブレークダウンして短絡モードで故障し、これによりその後段に接続されているインバータ５に過電圧が印加され、インバータ５のスイッチング素子５１，５２が過電圧により破損する、といった連鎖的な故障となり、使用不能となる恐れがある。
【００４２】
図８では、加熱終了時に、昇圧電源手段３を先に停止してから、所定時間Ｔ1 経過後に降圧電源手段４の動作とインバータ５の動作を停止する。これにより、昇圧電源手段３の動作が停止するタイミングにおいても昇圧電源手段３の出力において、所定のインピーダンスの負荷が接続されていることになるので、図７のような過渡的な高電圧ＶP は発生しない。
【００４３】
さらに、昇圧電源手段３の平滑用コンデンサ３４を放電することになるので、昇圧電源手段３の出力電圧を速やかに低下することができる。
【００４４】
つまり、インバータ５の通電中はインバータ５の電力制御に応じた電圧Ｖ1 で安定しており、加熱終了時には昇圧電源手段３の出力電圧はＶ2 まで低下し、降圧電源手段４とインバータ５が停止してから停止電圧Ｖ3 まで再び充電される形になる。
【００４５】
次に、加熱開始時の昇圧電源手段３の動作について説明する。図９，図１０は、加熱開始時のインバータ５，昇圧電源手段３，降圧電源手段４の動作タイミングと、昇圧電源手段３の出力電圧との関係を説明する図であり、図９は、昇圧電源手段３と降圧電源手段４を有しない電源回路を用いた従来の動作タイミングに準拠した場合の加熱開始時の動作波形を説明する図である。図１０は、本発明の実施例の加熱開始時のインバータ５，昇圧電源手段３，降圧電源手段４の動作タイミングと、昇圧電源手段３の出力電圧ＶO1との関係を説明する図である。
【００４６】
図９では、インバータ５の動作と同時に昇圧電源手段３が動作を開始するため、インバータ５の負荷が高インピーダンスであっても、低インピーダンスであっても、所定の電圧に達するよう昇圧電源手段３が動作する。本動作例は、加熱開始時に負荷が無い、あるいは非常に低インピーダンスの負荷であることを制御手段７の加熱可否判定手段１２が判定し、とりあえず加熱するのに適当でない負荷であるため所定の周期で昇圧電源手段３と降圧電源手段４とインバータ５のオン動作と、オフ動作を繰り返し、加熱可否判定手段１２により負荷の加熱可否を数回に渡り確認するパターンとなっている。このような動作では、昇圧電源手段３で昇圧するために多くの充放電電流が流れるために、最終的に加熱できない負荷と判断した場合は、インバータ５の動作を停止する時に、急激な電源回路９の負荷電流の減少が発生するため、電源回路９の出力に過渡的な高電圧が発生することがあり、これにより、回路素子の耐圧を越えるような電圧に達すると素子破壊を起こし故障する。
【００４７】
図１０では、同様な動作であっても昇圧電源手段３の動作を行わないため、所定の周期で昇圧電源手段３と降圧電源手段４とインバータ５のオン動作と、オフ動作を繰り返しても過渡的な高電圧は発生しない。インバータ５を駆動する加熱開始時に、負荷が有り、また、非常に低インピーダンスの負荷でないことを加熱可否判定手段１２が判定し、加熱するのに適当であるという負荷の場合、インバータ５の動作を開始させた所定時間Ｔ2 経過後に昇圧電源手段３の動作を開始する。
【００４８】
次に、以上の構成による作用を説明する。
【００４９】
鍋等の被加熱物を誘導加熱により加熱する場合は、先に被加熱物の加熱可否を加熱可否判定手段１２で判定を行い加熱可能かどうかを判定する。
【００５０】
被加熱物の加熱可否の判定動作は被加熱物を低電力レベルで加熱を行うことにより、電源回路９の入力電流と加熱コイル６に流れる共振負荷回路の電流の検出値から無負荷や小物負荷、あるいは極端に負荷インピーダンスの低い負荷などを識別し、そのような場合には加熱を停止する。
【００５１】
加熱可能と判定した場合は引き続き目標の電力（使用者が操作手段８で設定した加熱電力）になるよう制御手段７により電源回路９やインバータ５の制御を行う。
【００５２】
本実施例の構成のような電源回路９に昇圧電源手段３を有する場合には、加熱開始直後の入力電流は昇圧電源手段３の動作に起因する充電電流が重畳されてしまう。このため、電源投入の通電開始直後や、昇圧電源手段３の昇圧用コンデンサ４４の充電完了後や、昇圧電源手段３の動作開始直後や、昇圧電源手段３の昇圧動作の安定時、などの異なる動作状態では、インバータ５の出力電力は同じでも入力電流は異なっている場合がある。すなわち、次のような場合がある。
（１）電源投入直後の昇圧用コンデンサ３４に流れる大きな充電電流とインバータ５の共振負荷回路に流れる電流の合計値。
（２）昇圧電源手段３の昇圧用コンデンサ３４の充電完了後の充電電流とインバータ５の共振負荷回路に流れる電流の合計値。
（３）昇圧電源手段３の昇圧動作開始直後の昇圧用コンデンサ３４充電電流とインバータ５の共振負荷回路に流れる電流の合計値。
（４）昇圧電源手段３の昇圧動作安定後の昇圧用コンデンサ３４に流れる昇圧動作時の充電電流とインバータ５の共振負荷回路に流れる電流の合計値。
【００５３】
したがって、加熱開始時に行う被加熱物の加熱可否の判定動作で入力電流を参照する方法では、インバータ５の共振負荷回路に流れる負荷電流が同一であっても、入力電流は異なり、（２），（４）以外では正確な入力電流の値が検出されないため、正確な被加熱物の加熱可否の判定を行うことが困難であり、誤判定する恐れがある。
【００５４】
このため、本実施例では加熱開始時に昇圧電源手段３の動作を停止した状態、つまり、昇圧動作に関わる入力電流の変動を発生させない状態で加熱可否の判定動作を行い、入力電流はインバータ５の電力にのみ反映される状態と加熱可否の判定精度の向上を図り、入力電流はインバータ５の負荷に印加する電力にのみ反映される状態とする。これにより、無負荷や小物負荷を加熱可能とみなすような誤検知や、磁性体と非磁性体の誤判別を防ぐことができ、誤加熱による温度上昇や、加熱できない負荷への電力投入によるインバータ５への過負荷状態を未然に防止できるため、安全性，信頼性を高めることができる。
【００５５】
なお、負荷判定終了後、加熱を継続する場合にはインバータ５を駆動させた所定時間
Ｔ2 後に昇圧電源手段３の動作を開始する。このとき、昇圧用のコンデンサ３４への充放電電流が入力電流に重畳するが、既に加熱可否の判定が終了しているために、このタイミングでは一時的に負荷判定を行わなければ良い。所定の時間後、昇圧動作電流が安定的に流れはじめてから負荷判定を再開することで、負荷の有無や材質を判定することができ、誤加熱を防止することができる。
【００５６】
このように、電源回路９の出力に過電圧の発生が無く、したがって、インバータ５を構成する素子に与える過電圧や過電流のストレスを微小にすることができ、故障の発生頻度が激減し、製品の信頼性を高めることができる。
【００５７】
また、加熱開始時に行う被加熱物の加熱可否の判定を安定した電源状態で行うことができるため、誤判定を防止することができる。
【図面の簡単な説明】
【００５８】
【図１】本発明の誘導加熱調理器の回路ブロック図である。
【図２】昇圧電源手段の回路構成を説明する図である。
【図３】昇圧電源手段の制御タイミングを説明する図である。
【図４】降圧電源手段の回路構成を説明する図である。
【図５】降圧電源手段の制御タイミングを説明する図である。
【図６】インバータの回路構成を説明する図である。
【図７】昇圧電源手段と降圧電源手段を有しない電源回路を用いた従来の動作タイミングに準拠した場合の加熱終了時の動作波形を説明する図である。
【図８】本発明の実施例の加熱終了時のインバータ，昇圧電源手段，降圧電源手段の動作タイミングと、昇圧電源手段の出力電圧ＶO1との関係を説明する図である。
【図９】昇圧電源手段と降圧電源手段を有しない電源回路を用いた従来の動作タイミングに準拠した場合の加熱開始時の動作波形を説明する図である。
【図１０】本発明の実施例の加熱開始時のインバータ，昇圧電源手段，降圧電源手段の動作タイミングと、昇圧電源手段の出力電圧ＶO1との関係を説明する図である。
【符号の説明】
【００５９】
１  商用電源
３  昇圧電源手段
５  インバータ
７  制御手段
９  電源回路
１２  加熱可否判定手段
【図１】
2008166107.tif 000003
【図２】
2008166107.tif 000004
【図３】
2008166107.tif 000005
【図４】
2008166107.tif 000006
【図５】
2008166107.tif 000007
【図６】
2008166107.tif 000008
【図７】
2008166107.tif 000009
【図８】
2008166107.tif 000010
【図９】
2008166107.tif 000011
【図１０】
2008166107.tif 000012